(57)【要約】【課題】動的非直交多元接続通信のためのユーザ機器および方法を提供する。【解決手段】第１の例示的な実施形態は、進化型ノードＢ（ｅＮＢ）から第１のダウンリンク制御指示子（ＤＣＩ）を受信し、第１の電力比信号に応答して、第１のサブフレームを第１のより電力の大きいＮＯＭＡサブフレームとして処理するように構成されているユーザ機器（ＵＥ）を含む。ＤＣＩは、第１のＮＯＭＡサブフレームに対する第１の電力比信号を含む。ＵＥはその後、ｅＮＢから、第２のサブフレームに対する第２の電力比信号を含む第２のＤＣＩを受信し、ＵＥによって、第２の電力比信号に応答して、第２のサブフレームを第２のより電力の小さいＮＯＭＡサブフレームとして処理することができる。さらなる実施形態は、直交多元接続（ＯＭＡ）通信を受信するようにＵＥを構成するために、第３の電力比信号を有する別のＤＣＩをさらに使用することができる。【選択図】図２
2018107832.tif 000002
【特許請求の範囲】
【請求項１】
拡張ＮｏｄｅＢ（ｅＮＢ）の装置であって、当該装置が、
処理回路と、
メモリとを備え、
前記処理回路が、
マルチユーザ重畳伝送のための電力割り当てで第１のユーザ機器（ＵＥ）を構成する無線資源制御（ＲＲＣ）シグナリングを符号化するステップであって、前記マルチユーザ重畳伝送が２つ以上のＵＥのための重畳データシンボルを含む、ステップと、
前記第１のＵＥに対する伝送用のダウンリンク制御情報（ＤＣＩ）を符号化するステップであって、ＤＣＩフォーマットに従って符号化された前記ＤＣＩが、前記マルチユーザ重畳伝送のための、干渉の存在を示すフィールドを含む、ステップと、
前記フィールドにおいて示される変調情報に従って、前記第１のＵＥ用の第１のデータシンボルを符号化するステップと、
前記マルチユーザ重畳伝送のために、前記第１のＵＥ用の前記の符号化された第１のデータシンボルを第２のＵＥ用の符号化された第２のデータシンボルと合成するステップとを行うように構成されており、
前記メモリが、前記ＤＣＩの前記フィールドを記憶するように構成されている、装置。
【請求項２】
前記マルチユーザ重畳伝送のために、前記第１のデータシンボルの伝送のための電力レベルが、前記ＲＲＣシグナリングによって指示される値だけ低減される、請求項１に記載の装置。
【請求項３】
前記第１のＵＥが、近くのＵＥである、請求項２に記載の装置。
【請求項４】
前記処理回路が、
前記第２のＵＥに対する伝送用の第２のＤＣＩを符号化するステップであって、前記ＤＣＩフォーマットに従って符号化された前記第２のＤＣＩが、前記第２のＵＥに対する前記マルチユーザ重畳伝送のための、干渉の存在を示す前記フィールドを含む、ステップを行うように更に構成される、請求項１に記載の装置。
【請求項５】
前記マルチユーザ重畳伝送が、非直交チャネルリソース上の前記第１のＵＥに対する前記第１のデータシンボル及び前記第２のＵＥに対する前記第２のデータシンボルの伝送を含む、請求項１に記載の装置。
【請求項６】
前記第１のデータシンボル及び前記第２のデータシンボルが、非直交リソース上の直交周波数分割多元接続（ＯＦＤＭＡ）伝送のための異なるレイヤにマッピングされる、請求項１に記載の装置。
【請求項７】
前記第１のＵＥが、近くのＵＥであり、
前記第１のＵＥ用の前記第１のデータシンボルが、前記第２のＵＥ用の前記第２のデータシンボルよりも高いレートで符号化される、請求項１に記載の装置。
【請求項８】
前記マルチユーザ重畳伝送の前記の合成された符号化されたデータシンボルの伝送用に構成されたトランシーバ回路を更に備える、請求項１に記載の装置。
【請求項９】
２つ以上のアンテナを更に備える、請求項８に記載の装置。
【請求項１０】
コンピュータプログラムであって、拡張ノードＢ（ｅＮＢ）の処理回路によって、
マルチユーザ重畳伝送のための電力割り当てで第１のユーザ機器（ＵＥ）を構成する無線資源制御（ＲＲＣ）シグナリングを符号化するステップであって、前記マルチユーザ重畳伝送が２つ以上のＵＥのための重畳データシンボルを含む、ステップと、
前記第１のＵＥに対する伝送用のダウンリンク制御情報（ＤＣＩ）を符号化するステップであって、ＤＣＩフォーマットに従って符号化された前記ＤＣＩが、前記マルチユーザ重畳伝送のための、干渉の存在を示すフィールドを含む、ステップと、
前記フィールドにおいて示される変調情報に従って、前記第１のＵＥ用の第１のデータシンボルを符号化するステップと、
前記マルチユーザ重畳伝送のために、前記第１のＵＥ用の前記の符号化された第１のデータシンボルを第２のＵＥ用の符号化された第２のデータシンボルと合成するステップとを実行させるための命令を含み、
メモリが、前記ＤＣＩの前記フィールドを記憶するように構成されている、コンピュータプログラム。
【請求項１１】
前記マルチユーザ重畳伝送のために、前記第１のデータシンボルの伝送のための電力レベルが、前記ＲＲＣシグナリングによって指示される値だけ低減される、請求項１０に記載のコンピュータプログラム。
【請求項１２】
前記第１のＵＥが、近くのＵＥである、請求項１１に記載のコンピュータプログラム。
【請求項１３】
前記処理回路が、
前記第２のＵＥに対する伝送用の第２のＤＣＩを符号化するステップであって、前記ＤＣＩフォーマットに従って符号化された前記第２のＤＣＩが、前記第２のＵＥに対する前記マルチユーザ重畳伝送のための、干渉の存在を示す前記フィールドを含む、ステップを行うように更に構成される、請求項１０に記載のコンピュータプログラム。
【請求項１４】
ユーザ機器（ＵＥ）の装置であって、当該装置が、
メモリと、
マルチユーザ重畳伝送のための電力割り当てで前記ＵＥを構成する無線資源制御（ＲＲＣ）シグナリングを復号するステップであって、前記マルチユーザ重畳伝送が２つ以上のＵＥのための重畳データシンボルを含む、ステップと、
前記ＵＥのためのダウンリンク制御情報（ＤＣＩ）を復号するステップであって、ＤＣＩフォーマットに従って符号化された前記ＤＣＩが、前記マルチユーザ重畳伝送のための、干渉の存在を示すフィールドを含む、ステップと、
前記ＵＥ用の第１のデータシンボルと第２のＵＥ用の第２のデータシンボルとを含む合成データシンボルを含むマルチユーザ重畳伝送を復号するステップとを行うように構成されている処理回路とを備え、
前記第１のデータシンボルが、前記フィールドにおいて示された変調情報に基づいて復号されるとともに、
前記メモリが、前記ＤＣＩの前記フィールドを記憶するように構成されている、装置。
【請求項１５】
前記マルチユーザ重畳伝送のために、前記第１のデータシンボルの伝送のための電力レベルが、前記ＲＲＣシグナリングによって指示される値だけ低減される、請求項１４に記載の装置。
【請求項１６】
前記マルチユーザ重畳伝送が、非直交チャネルリソース上の前記ＵＥに対する前記第１のデータシンボル及び前記第２のＵＥに対する前記第２のデータシンボルの伝送を含む、請求項１４に記載の装置。
【請求項１７】
請求項１０から請求項１３のいずれか一項に記載のコンピュータプログラムを記憶したコンピュータ読み取り可能な記憶媒体。
【発明の詳細な説明】
【技術分野】
【０００１】
いくつかの実施形態は、非直交多元接続（ＮＯＭＡ）通信と関連付けられるシステム、方法、およびコンポーネントデバイスに関する。いくつかの実施形態は、ＮＯＭＡ通信を含む種々のタイプの通信の間の動的な切り替えのためにダウンリンク制御指示子（ＤＣＩ）を使用することに関する。いくつかの実施形態は、ＬＴＥアドバンスト（ＬＴＥ−Ａ）リリース１３および１４による通信を含む、３ＧＰＰ  ＬＴＥ規格のうちの１つによる通信に関する。いくつかの実施形態は、第５世代無線通信システムに関する。
【０００２】
本出願は、２０１４年６月２日付けで提出された米国仮特許出願第６２／００６，７３１号の優先権の利益を主張する、２０１４年１２月１９日付けで提出された米国特許出願第１４／５７８，０１６号に対する優先権の利益を主張し、上記出願の各々は、参照によってその全体がここに組み込まれる。
【背景技術】
【０００３】
無線移動通信技術は、基地送受信局または進化型ユニバーサル移動体通信システム地上無線アクセスノードＢ（ｅＮＢ）と、無線モバイルデバイスまたはユーザ機器（ＵＥ）との間でデータを送信するために様々な規格およびプロトコルを使用する。従来の第３世代および第４世代無線システムは、多元接続技法においてシンボルが互いと干渉しない直交多元接続（ＯＭＡ）を使用する。ＯＭＡの例は、符号分割多元接続（ＣＤＭＡ）および直交周波数分割多元接続（ＯＦＤＭＡ）を含む。そのようなＣＤＭＡおよびＯＦＤＭＡシステムのユーザは、利用可能な無線資源の一部分を直交的に使用する。対照的に、非直交多元接続（ＮＯＭＡ）は、異なるユーザのシンボルが互いと干渉するように、複数のデバイスが同じ無線資源を共有することを含む。ＮＯＭＡシステムにおいて、異なるユーザに対するシンボルは、基本的に、重ねて送信することができる。シンボルのユーザ分離は、主に、送信機側におけるスマートな電力割り当て、および、受信機側における事前処理に依拠して、干渉するシンボルを分離する。これによって、複数のデバイスが同じ帯域幅を共有することが可能になる。
【図面の簡単な説明】
【０００４】
【図１】例示的な実施形態に従って使用することができるネットワークのブロック図である。
【図２】例示的な実施形態による動的ＮＯＭＡによって使用することができるデータサブフレームの諸態様を示す図である。
【図３】例示的な実施形態による動的ＮＯＭＡ通信のための方法を示す図である。
【図４】例示的な実施形態による動的ＮＯＭＡ通信のための方法を示す図である。
【図５】いくつかの実施形態による、非対称ＲＡＮによって使用することができる例示的なＵＥを示す図である。
【図６】いくつかの実施形態による、本明細書において論じられている方法のいずれか１つまたは複数を実行することができる例示的なコンピュータ・システム・マシンを示すブロック図である。
【発明を実施するための形態】
【０００５】
実施形態は、非直交多元接続（ＮＯＭＡ）通信のためのシステム、方法、およびコンポーネントデバイスを説明する。特に、いくつかの実施形態は、進化型ユニバーサル移動体通信システム地上無線アクセスノードＢ（ｅＮＢ）が、単一のＵＥに対する異なる送信タイプを選択することを可能にするための先進的なシグナリングを使用し、送信タイプは、ＮＯＭＡ送信および直交多元接続（ＯＭＡ）送信を含む。
【０００６】
図１は、いくつかの実施形態による無線ネットワーク１００を示す。無線ネットワーク１００は、ユーザ機器（ＵＥ）１１０および１１５を含む。ＵＥ１１０および１１５は、たとえば、ラップトップコンピュータ、スマートフォン、タブレットコンピュータ、プリンタ、スマートメータのようなマシンタイプデバイス、または、ユーザインタフェースを有するかもしくは有していない他の無線デバイスであってもよい。一例において、ＵＥ１１０および１１５は、ネットワーク１３５に対するアクセスをＵＥ１１０および１１５に提供するユニバーサル移動体通信システム地上無線アクセスノードＢ（ｅＮＢ）１３０に対して、サービスエリア１４０内のエアインタフェース１２０を介して無線接続している。ネットワーク１３５は、いくつかのネットワークが相互接続したものを表し得る。たとえば、ネットワーク１３５は、インターネットまたはイントラネットのような広域ネットワークと結合することができる。
【０００７】
無線ネットワーク１００を使用するいくつかの実施形態において、ｅＮＢ１３０はいくつかのＵＥと関連付けられ、ｅＮＢ１３０は、ＵＥのうちの少なくともいくつかに対してＮＯＭＡ通信を使用することによって、システム性能が増大することを判定する。これは、ｅＮＢ１３０を使用する２つのＵＥが、それらの信号対干渉雑音比（ＳＩＮＲ）において十分に大きい差異を有するときに行われる。ｅＮＢは、ＮＯＭＡ通信のための少なくとも２つのＵＥを選択し、第１のＵＥは、より電力の大きいＮＯＭＡサブフレームを受信するためのものであり、第２のＵＥは、より電力の小さいサブフレームを受信するためのものである。
【０００８】
その後、ｅＮＢ１３０は、各デバイスの電力比を生成し、この電力比を、ＮＯＭＡ通信のために選択されている各ＵＥのダウンリンク制御指示子（ＤＣＩ）に統合する。ＮＯＭＡシグナリングのためのＤＣＩ構造は、少なくとも２ビットを含むことができ、この２ビットによって、各状態が電力比範囲と関連付けられて記述され、それゆえ、所与のＵＥが、ＯＭＡデータを受信すべきか、より電力の大きいＮＯＭＡデータを受信すべきか、またはより電力の小さいＮＯＭＡデータを受信すべきかが指示される。ｅＮＢ１３０はその後、同じ無線信号の一部分として重ねて送信されるより電力の大きいＮＯＭＡデータおよびより電力の小さいＮＯＭＡデータを含む無線ＮＯＭＡ信号を生成する。この信号は、各ＵＥに対するデータを電力スケーリングし、その後、電力スケーリングされたデータを合計することによって生成される。無線ＮＯＭＡ信号は、制御領域内の各ＵＥのＤＣＩ、および、スケーリングされ合計されたＮＯＭＡトランスポートデータを含むサブフレームとしての構造になる。
【０００９】
第１のＵＥおよび第２のＵＥは両方とも、同じ無線ＮＯＭＡ信号を受信する。第１のＵＥに向けられている第１のＤＣＩに基づいて、第１のＵＥは、より電力の大きいＮＯＭＡデータを取り出すために無線ＮＯＭＡ信号を処理する。第２のＵＥに向けられている第２のＤＣＩに基づいて、第２のＵＥは、より電力の小さいＮＯＭＡデータを取り出すために無線ＮＯＭＡ信号を処理する。
【００１０】
無線ＮＯＭＡ信号の一部分であるより電力の小さいＮＯＭＡデータは、より電力の大きいＮＯＭＡデータ上のノイズとして取り扱うことができるため、より電力の大きいＮＯＭＡデータは、追加のフィルタリングを最小限にして処理することができる。より電力の小さいＮＯＭＡデータについては、より電力の小さいシンボルがより電力の大きいシンボルによって曖昧にされるため、より電力の小さいデータのシンボルを識別する処理が必要とされる。特定の実施形態において、より電力の低いデータ内のシンボルを識別するために、逐次干渉除去（ＳＩＣ）を使用することができる。
【００１１】
後続のサブフレームの一部分としての各ＵＥに対する後続のＤＣＩが、その後、各ＵＥに、後続のサブフレームが異なるタイプの通信として処理されるべきであることを通知する。たとえば、第１のＵＥが第２のＵＥによって位置を変化させる場合があり、それによって、第１のＵＥおよび第２のＵＥの第２のＳＩＮＲ値が特性を交換する。各ＵＥは、受信されるべき通信のタイプを指示するＤＣＩを受信することができ、各ＵＥはその後、それぞれのＤＣＩによって識別されたそのＵＥに向けられている信号タイプによって受信された通信を処理することができる。ＮＯＭＡ通信がもはや効率的でないとｅＮＢが判定した場合、ＯＭＡ通信が使用されることになることを指示するＤＣＩが各ＵＥに送信され得る。
【００１２】
ＮＯＭＡ信号指示子を搬送するためにＤＣＩを使用することによって、ＵＥが、連続するサブフレームにおいてより電力の大きいＮＯＭＡ通信、より電力の小さいＮＯＭＡ通信、またはＯＭＡ通信を受信することが可能であり、それによって、単一のフレームは、単一フレーム内で異なる通信タイプの間で行きつ戻りつ切り替わることができる。この動的ＮＯＭＡ通信の使用は、１タイプのみの通信を使用し、また、システムがＮＯＭＡ通信のための効率的な環境を生成し得る変化する条件に適合することができない静的システムを最大３０％上回って、ｅＮＢスループットを改善することができる。
【００１３】
特定の実施形態において、ＤＣＩは、所与のサブフレーム内のデータのタイプを記述するＮＯＭＡ信号指示子のみを通信し得る。詳細な電力比情報は、無線資源制御シグナリングの一部分として通信され得る。詳細な電力比値を与える電力比設定値を含む無線資源制御信号が、ＵＥに送信され得る。ＵＥはその後、ＵＥにおいて受信されるすべてのＮＯＭＡ通信に対して、それらの詳細な電力比値を使用することができる。詳細な電力比値に対する更新が必要とされる場合、更新は、後続の無線資源制御信号において送信されることができる。
【００１４】
次に、図２は、部分データフレーム２００を示しており、ＮＯＭＡ通信の一部分として、ｅＮＢ１３０からエアインタフェース１２０を介してＵＥ１１０とＵＥ１１５の両方に送信され得るサブフレーム２０１、２１１、および２２１が示されている。サブフレーム２０１は、制御領域２０４内の第１のＤＣＩ２０２および第２のＤＣＩを含む。各ＤＣＩは、データを復号するためにＵＥによっていずれの復調方式が使用されるべきであるか、および、特定のＵＥに対するデータをサブフレーム内のどこに見出すことができるかに関する情報を含む、特定のＵＥに対する詳細な情報を搬送する。特定の実施形態において、システムは、異なる環境に関する情報を提供するために、そのシステム内で複数の異なるＤＣＩフォーマットを同時に使用することができる。
【００１５】
本明細書において説明されている実施形態は、ＮＯＭＡ信号指示子要素を有する少なくとも１つのＤＣＩフォーマットを含む。ＮＯＭＡ信号指示子要素は、ＵＥに対するデータがより電力の大きいＮＯＭＡデータとして符号化されているか、より電力の小さいＮＯＭＡデータとして符号化されているか、またはＯＭＡデータとして符号化されているかを判定するためにＵＥによって使用されることができる値を保持する。ＮＯＭＡ信号指示子要素の一例は、電力比要素である。下記でより詳細に説明されるように、特定の実施形態によるＮＯＭＡ信号の生成は、異なるデバイス向けに意図されているデータについて、データを電力スケーリングし、その後、電力スケーリングされたデータを合計することを含む。１つのＵＥに対するデータはより大きい電力を有するようにスケーリングされ、別のＵＥに対するデータはより小さい電力を有するようにスケーリングされる。このスケーリングのために、より電力の大きいデータと合計される、より電力の小さいデータに関する電力比は、常に０．５未満であり、０よりも大きい。同様に、より電力の大きいデータに関する電力比は、常に０．５を上回り、１未満である。１の電力比は、複数の信号の合計が行われておらず、それゆえ、信号は本明細書において説明されているようなＮＯＭＡ信号ではないことを意味する。ＮＯＭＡおよびＯＭＡ通信の電力比のこれらの特性を所与として、電力比値は、その電力比と関連付けられる信号のタイプに関する情報を提供する。
【００１６】
各ＤＣＩ２０２、２０３、２１２、２１３、および２２２は、各サブフレームの制御領域２０４、２１４、および２２４の間に通信される。各ＤＣＩ２０２、２０３、２１２、２１３、および２２２は、データを保持するサブフレーム内のトランスポートブロックに関する情報を提供する。サブフレーム２０１および２１１は、スケーリングおよび合計されているＮＯＭＡデータを含む。サブフレーム２０１において、このＮＯＭＡデータは、第１のより電力の大きいＮＯＭＡデータ２０６および第１のより電力の小さいＮＯＭＡデータ２０８を含む。ＮＯＭＡデータの各部分はＤＣＩと関連付けられ、ＵＥデータと関連付けられる各ＤＣＩは、特定のＵＥに向けられる。したがって、第１のＤＣＩ２０２および第１のより電力の大きいＮＯＭＡデータ２０６は、ｅＮＢ１３０からＵＥ１１０に向けられることができるとともに、第２のＤＣＩ２０３は、第１のより電力の小さいＮＯＭＡデータ２０８と関連付けられることができ、ＵＥ１１５に向けられることができる。
【００１７】
後続のサブフレームにおいて、各ＵＥに向けられるデータのタイプは変化してもよい。これは、たとえば、デバイスごとにＳＩＮＲが変化するために行われ得る。したがって、サブフレーム２１１について、第３のＤＣＩ２１２が第２のより電力の小さいＮＯＭＡデータ２１８と関連付けられ、ＵＥ１１５に向けられてもよく、第４のＤＣＩ２１３が第２のより電力の大きいＮＯＭＡデータ２１６と関連付けられ、ＵＥ１１５に向けられてもよい。同様に、単一フレーム内で、特定のＵＥに向けられているデータが、ＮＯＭＡデータからＯＭＡデータに変化してもよい。サブフレーム２２１は第５のＤＣＩ２２２を含む。第５のＤＣＩ２２２は、直交周波数分割多元接続データ２２６と関連付けられ、ＵＥ１１０に向けられ得る。したがって、様々な実施形態において、単一フレームのデータは、第１のＵＥおよび第２のＵＥに対するＮＯＭＡデータ、ならびに、同じフレーム内の第２のＵＥおよび第３のＵＥに対するＮＯＭＡデータを含む、データタイプの多くの組み合わせを含むことができる。同様に、単一のＵＥが、同じデータフレームの一部分として、同じｅＮＢからＮＯＭＡデータおよびＯＭＡデータを受信することができる。
【００１８】
次に、図３は、動的ＮＯＭＡ通信のための方法３００を説明する。方法３００は、システム１００および部分データフレーム２００に関連して説明されているが、様々な異なる実施形態においては他のシステムおよびデータ構造によって実施されてもよい。
【００１９】
動作３０２は、ＵＥ１１０が、ｅＮＢ１３０から、第１のＤＣＩ２０２および第２のＤＣＩ２０３を含む第１の非直交多元接続（ＮＯＭＡ）サブフレーム２０１を受信することを含む。第１のＤＣＩ２０２はＵＥ１１０に向けられ、第２のＤＣＩはＵＥ１１５に向けられる。加えて、第１のＤＣＩ２０２は、第１の電力比信号を含む。
【００２０】
次に、動作３０４は、第１の電力比信号に応答して、第１のＮＯＭＡサブフレームの第１のデータセットを、第１のより電力の大きいＮＯＭＡデータとして処理することを含む。上述したように、電力比信号は、サブフレーム内のデータのタイプの指示子として機能することができる。ＵＥ１１０がサブフレーム２０１を受信すると、ＵＥ１１０は最初に、サブフレーム２０１内のデータがｅＮＢ１３０からＵＥ１１０に送信されたかを判定するために、制御領域２０４内のデータを処理することができる。ＵＥ１１０は、第１のＤＣＩ２０２からの情報に基づいて、この判定を行うことができる。サブフレーム２０１内のデータがＵＥ１１０に向けられていると一度ＵＥが判定すると、ＵＥ１１０は、第１のＤＣＩ２０２内の第１の電力比信号を識別することができる。第１の電力比信号が使用されて、ＵＥ１１０に対するデータがより電力の大きいＮＯＭＡデータとして送信されたと判定されると、ＵＥ１１０はその後、サブフレーム２０１から第１のより電力の大きいＮＯＭＡデータ２０６を識別し、第１のＤＣＩ２０２内の情報を使用して、第１のより電力の大きいＮＯＭＡデータ２０６を復号することができる。同様のプロセスが、ＵＥ１１５によって、第１のより電力の小さいＮＯＭＡデータ２０８について実行される。
【００２１】
その後、同じデータフレームの後続のサブフレームからの異なるタイプのデータを処理するために、ＤＣＩシグナリングが使用され得る。この一部分として、動作３０６は、ＵＥ１１０において、ｅＮＢ１３０から第２のＮＯＭＡサブフレーム２１１を受信することを含む。第２のサブフレーム２１１は、第３のＤＣＩ２１２および第４のＤＣＩ２１３を含む。ちょうど最初のサブフレーム２０１のように、ＵＥ１１０に向けられているＤＣＩは、電力比信号を含み、それによって、第３のＤＣＩ２１２は、第２の電力比信号を含む。
【００２２】
ちょうど上述したように、第２の電力比信号は、ｅＮＢ１３０からＵＥ１１０に送信されているサブフレーム２１１内のデータを識別するために使用されることができる。しかしながら、動作３０８において、第２の電力比信号の処理は、サブフレーム２０１においてＵＥ１１０に送信されたより電力の大きいデータと比較して、より電力の小さいデータがサブフレーム２１１においてＵＥ１１０に送信されたことを判定するために使用される。したがって、動作３０８は、第３のＤＣＩ２１２内の第２の電力比信号に応答して、ＵＥ１１０に対する第２のより電力の小さいＮＯＭＡデータ２１８を処理することを含む。ちょうどサブフレーム２１１のように、ＵＥ１１５は、第２のより電力の大きいＮＯＭＡデータ２１６によって同様のプロセスを実施する。
【００２３】
ここで、動的ＮＯＭＡ通信の特定の実施形態に関係するさらなる詳細を、再びシステム１００のコンテキストにおいて説明するが、様々な実施態様は他のシステムを使用してもよい。ダウンリンクＮＯＭＡシステムの一例は、１つのｅＮＢ１３０が、同じ周波数／時間資源を使用して２つのＵＥ１１０および１１５にサービスすると仮定して、例示されることができる。ｅＮＢ１３０は、１つまたは２つの送信アンテナを取り付けられ、各ＵＥは、Ｎ＿ｒ個の受信アンテナを取り付けられる。ｅＮＢ１３０からＵＥ１１０とＵＥ１１５の両方へのデータとして送信するための変調シンボルが、電力スケーリングの後で、エアインタフェース１２０を介した送信の前に合計される。これは下記のように記述されることができる。
【００２４】
【数１】
2018107832.tif 000003
【００２５】
式中、ｙ＿ｉはＮ＿ｒ×１個の受信信号ベクトルであり、Ｈ＿ｉはＵＥ１１０のＮ＿ｒ×Ｎ＿ｔのチャネル行列であり、ｐ＿ｉは、ＵＥ１１０に対する電力スケーリング係数であり、［Ｐ＿１，Ｐ＿２］／√２はＵＥ１１０のためのプリコーダであり、ＵＥ１１０がランク１の送信を有する場合はＰ＿１に低減され、Ｐ＿１はＵＥ１１５のためのプリコーダであり、ｘ＿ｉはＵＥ１１０向けに意図されている（複数の）符号語の（複数の）データシンボルであり、ｘはＵＥ１１０とＵＥ１１５の両方の重畳データシンボルであり、ｎ＿ｉはＮ＿ｒ×１個のノイズベクトルであり、Ｎ＿ｒは各ＵＥの受信アンテナの数であり、Ｎ＿ｔはｅＮＢ１３０の送信アンテナの数である。
【００２６】
電力割り当ては、下記の制約を受ける。
（２）ｐ１＋ｐ２＝１
【００２７】
｜（Η１Ρ１）Ｈ（Η１Ρ１）｜／ｒ＞｜（Ｈ２Ｐ１）Ｈ（Ｈ２Ｐ１）｜と仮定すると、結果としてｐ１＜ｐ２となり、式中、ｒはＵＥ１１０の送信ランクである。
【００２８】
各ＵＥは最初に、式（３）を使用して、線形受信機、たとえば、ＭＲＣ受信機を使用して重畳データシンボルを推定することができる。
【００２９】
【数２】
2018107832.tif 000004
【００３０】
その後、ＵＥ１１０とＵＥ１１５の両方が、最初にＵＥ１１５の符号語を復号することができる。ＵＥ１１５の符号語の復号に成功した場合、ＵＥ１１５は、このとき、ＵＥ１１５に向けられたｅＮＢ１３０からのデータを有するため、ＵＥ１１５はさらにいかなる復号も実施する必要はない。ＵＥ１１０は、第２のデータシンボル
【数３】
2018107832.tif 000005
を再構築し、これを重畳データシンボルｘ＾から減算して、ＵＥ１１５向けに意図されているデータシンボルｘ＿１を推定することができる。シンボルｘ＿１に関係する符号語の推定データシンボルは下記のように書かれることができ、
【００３１】
【数４】
2018107832.tif 000006
【００３２】
式中、σは干渉除去係数であり、σ∈［０，１］である。σが１に等しいとき、ＵＥ１１５の符号語は完全に除去される。
【００３３】
上記（１）を所与として、大きいＳＩＮＲの差異を有するユーザは、ＮＯＭＡ通信と関連付けられる利得を最大化するために、一緒に対（pair）にすることができる。電力制御システムを使用して、チャネル利得の低いＵＥに対して高い送信電力を設定し、チャネル利得の高いＵＥに対して低い送信電力を設定することができる。ＵＥ１１０に対する電力レベルを決定するための１つの方法は下記の式を解くことである。
【００３４】
【数５】
2018107832.tif 000007
【００３５】
式中、γ＿２はＵＥ２のＳＮＲである。
【００３６】
（５）が満たされるとき、ＵＥ１１５のチャネル容量は、ＵＥ１１５がシステム帯域幅の半分を割り当てられて全送信電力でサービスされるＯＭＡ送信のチャネル容量に等しい。ＯＭＡ動作に対する、ＮＯＭＡ動作のチャネル容量利得は、ＵＥ１１０のチャネル容量に依存し、これは下記のように表現されることができる。
【００３７】
【数６】
2018107832.tif 000008
【００３８】
式中、γ＿１はＵＥ１１０のＳＮＲである。
【００３９】
システムの電力割り当て戦略は、下記の式によって与えられることができる。
【００４０】
【数７】
2018107832.tif 000009
【００４１】
このとき、ＵＥ１１０の電力割り当て量が下記を満たす場合に、ＯＭＡ通信にまさるＮＯＭＡ通信のチャネル容量利得が達成される。
【００４２】
【数８】
2018107832.tif 000010
【００４３】
ｅＮＢはその後、ＯＭＡ通信と比較したＮＯＭＡ通信からのチャネル容量利得のこの評価を使用して、ＮＯＭＡ通信をいつ動的に使用するかを判定し、また、いずれのＵＥをより電力の大きいＮＯＭＡデータの受信者として割り当てるか、および、いずれのＵＥをより電力の小さいデータの受信者として割り当てるかを判定することができる。
【００４４】
特定の実施形態において、ＯＭＡとＮＯＭＡとの間で動的に切り替えることによって、システム環境が一方または他方のタイプの通信にとって最適でないときに、システム容量全体の劣化が回避される。特定の実施態様において、ＯＭＡとＮＯＭＡとの間の動的な切り替えは、ｅＮＢまたはシステムコントローラによって、比例公平性基準に基づいて決定されることができる。ＮＯＭＡ通信の利益がｅＮＢと通信している複数のＵＥについて上述したように分析されるとき、一対のＵＥにおける比例公平性基準のセットの合計が、ＮＯＭＡペアリングのための比例公平性基準として使用される。ｅＮＢに対して利用可能な最良のＮＯＭＡ対の比例公平性基準が、最良の単一ユーザ送信の比例公平性基準よりも高い場合、ＮＯＭＡ送信が適用される。そうでない場合、単一のＵＥに対するＯＭＡ通信が使用される。
【００４５】
ＮＯＭＡ通信を使用するための上述した意思決定プロセスの様々な実施態様を所与として、ｅＮＢに関するユーザの数および使用される特定の電力割り当て方法に応じて、相当の割合の時間にわたって、より電力の大きいＮＯＭＡデータとより電力の小さいＮＯＭＡデータの両方を受信するために単一のＵＥが選択され得る。そのような割合は、特定の実施態様および動作環境において８０パーセントほどの高さであってもよい。
【００４６】
動的ＮＯＭＡ通信のためのシグナリングは、このとき、ＤＣＩを使用して、単独でまたはさらなるシグナリングと併せてのいずれかで行われてもよい。第１の例示的な実施形態において、一定のビット数が、ＤＣＩフォーマットにおいてＮＯＭＡシグナリング要素として割り当てられる。これは、特定の実施形態において、４〜８ビットの特定のＤＣＩフォーマットを含んでもよい。ＮＯＭＡシグナリングの値が、０と０．５との間の電力比値であるとき、ＵＥは、より電力の小さいＮＯＭＡデータを受信するようにシグナリングされ、ＮＯＭＡシグナリングの値が、０．５と１との間の電力比値であるとき、ＵＥは、より電力の大きいＮＯＭＡデータを受信するようにシグナリングされる。ＮＯＭＡシグナリング値が１に等しいとき、ＵＥは、通常のＯＭＡ通信を受信するようにシグナリングされる。
【００４７】
代替的な実施形態においては、２〜３ビットのＤＣＩフォーマットのみがＮＯＭＡシグナリング要素として割り当てられてもよい。これらのビットは、少なくとも４つの電力状態をシグナリングするために割り当てられ、既存のＤＣＩフォーマットに追加されてもよく、または、既存のＤＣＩフォーマットにおいては冗長である既存のビットパターンを再使用してもよい。各電力比状態が、１つの電力比値にマッピングされる。２〜３ビットの１つの電力比状態が、ＯＭＡ送信にマッピングされる。１つの電力比状態がより電力の小さいＮＯＭＡデータにマッピングされ、１つの電力比状態が、より電力の大きいＮＯＭＡデータにマッピングされる。ＮＯＭＡデータにマッピングされる状態について、２または３ビットの実施態様は、システムの電力比を正確に表すのに十分な状態を与えない。そのような実施形態において、詳細な電力比値を与えるためのさらなる信号が、無線資源制御（ＲＲＣ）シグナリングによってシグナリングされてもよい。そのような実施形態は、ＮＯＭＡ通信をサブフレーム単位で動的に使用することを可能にし得るが、電力比は、ＲＲＣシグナリングによってのみ変更されてもよく、そのため、システムが動作中に電力比を変更する機会は、単一のＵＥに対するＮＯＭＡからＯＭＡへ、または、ＮＯＭＡ通信のタイプ間で動的に変更する機会よりも頻繁に起こらなくなる。１つの例示的な実施形態において、ＤＣＩシグナリングは、ＵＥによって受信されるデータがサブフレームごとに変化することを可能にすることができ、一方で、ＵＥに対するＮＯＭＡ通信と関連付けられる電力比値は、フレームごとにのみ、または、ＲＲＣシグナリング周波数によって規定される複数フレーム後にのみ変化し得る。
【００４８】
次に、図４は、方法４００として示す、特定の例示的な実施形態による動的ＮＯＭＡ通信のための別の方法を説明する。ちょうど上記の方法３００のように、方法４００は、様々な異なるシステムによって実施することができるが、例示のためにシステム１００に関連して説明される。
【００４９】
方法４００の動作４０２は、より電力の大きい非直交多元接続（ＮＯＭＡ）通信を受信するための、ｅＮＢ１３０と関連付けられる第１のＵＥ１１０を選択することを含む。動作４０４は、第１のＵＥ１１０とのＮＯＭＡ対の一部分としての、より電力の小さいＮＯＭＡ通信を受信するための、第１のＵＥ１１０とは異なる第２のＵＥ１１５を選択することを含む。上述したように、ＮＯＭＡ対は、ＯＭＡ通信のスループットを、ＮＯＭＡ通信のスループットと比較することによって選択されることができる。ｅＮＢ１３０がＵＥ１１０およびＵＥ１１５に加えて多数のＵＥと通信しているとき、ｅＮＢ１３０は、ＳＩＮＲまたは他のＵＥ特性によってＵＥをソートすることができ、そのＵＥ特性に基づく順序でＮＯＭＡ対を試験することができる。他の実施形態において、ｅＮＢは、現在ｅＮＢ１３０と通信しているＵＥについてＮＯＭＡ対のすべての可能な組み合わせを試験することができ、その後、ＮＯＭＡ対およびＯＭＡ単一ＵＥ通信の最適な配分を計算または推定することができる。代替の実施形態において、推定される最適な選択と組み合わさった、限定されたＮＯＭＡ対セットからの推定値の組み合わせを使用して、ｅＮＢ１３０と通信している各ＵＥに対してＮＯＭＡ通信が使用されるか、または、ＯＭＡ通信が使用されるかを判定することができる。
【００５０】
次に、動作４０６は、より電力の大きいＮＯＭＡ通信と関連付けられる第１の電力比、および、より電力の小さいＮＯＭＡ通信と関連付けられる第２の電力比を求めることを含む。この情報はその後、動作４０６において、第１のＮＯＭＡサブフレームを生成するために使用される。ＮＯＭＡサブフレームの様々な例示的な実施形態は上述されている。ＮＯＭＡサブフレームは、動作４０８において、第１のＵＥ１１０に対する第１のＤＣＩ、第２のＵＥ１１５に対する第２のＤＣＩを作成すること、および、適切な電力比によって各ＵＥに対するデータをスケーリングし、その後、スケーリングされたデータを合計することにより送信データを生成することによって、生成されることができる。
【００５１】
ＮＯＭＡサブフレームが生成された後、動作４１０は、第１のＮＯＭＡサブフレームを第１の無線信号として、エアインタフェース１２０を介して第１のＵＥ１１０および第２のＵＥ１１５に送信することを含む。
【００５２】
上述した様々な実施形態に加えて、さらなる代替的な実施形態も可能であり、本明細書において説明されているいかなる単一の実施態様も、すべての実施形態の範囲を画定しない。
【００５３】
１つのさらなる例は、進化型ユニバーサル移動体通信システム地上無線アクセスノードＢ（ｅＮＢ）から、第１のダウンリンク制御指示子（ＤＣＩ）および第３のＤＣＩを含む第１の非直交多元接続（ＮＯＭＡ）サブフレームを受信するように構成されているＵＥを含み、第１のＤＣＩはそのＵＥに向けられ、第３のＤＣＩは第２のＵＥに向けられ、第１のＤＣＩは、第１の電力比信号を含む。ＵＥはまた、第１の電力比信号に応答して、第１のＮＯＭＡサブフレームの第１のデータセットを第１のより電力の大きいＮＯＭＡデータとして処理し、ｅＮＢから、第２のＤＣＩおよび第４のＤＣＩを含む第２のＮＯＭＡサブフレームを受信するようにも構成されており、第２のＤＣＩは第２の電力比信号を含む。ＵＥはまた、第２の電力比信号に応答して、第２のＮＯＭＡサブフレームの第１のデータセットを第２のより電力の小さいＮＯＭＡデータとして処理するようにも構成されている。
【００５４】
第１のＮＯＭＡサブフレームがＵＥによって、第１のより電力の大きいＮＯＭＡデータおよび第１のより電力の小さいＮＯＭＡデータを含む第１のＮＯＭＡ信号として受信され、第１のＤＣＩが、第１のより電力の大きいＮＯＭＡデータがＵＥに向けられることを識別し、第１のより電力の小さいＮＯＭＡデータが、第２のＵＥに向けられている信号を含み、第３のＤＣＩが、第１のより電力の小さいＮＯＭＡデータと関連付けられる、そのようなＵＥのさらなる実施態様がさらに構成されてもよい。
【００５５】
第２のＮＯＭＡサブフレームがＵＥによって、第２のより電力の小さいＮＯＭＡデータおよび第２のより電力の大きいＮＯＭＡデータを含む第２のＮＯＭＡ信号として受信され、第２のＤＣＩが、第２のより電力の小さいＮＯＭＡデータがＵＥに向けられることを識別し、第２のより電力の大きいＮＯＭＡデータが、第２のＵＥに向けられている第２の信号を含み、第４のＤＣＩが、第２のより電力の大きいＮＯＭＡデータと関連付けられる、そのようなＵＥのさらなる実施態様がさらに構成されてもよい。
【００５６】
第１のより電力の大きいＮＯＭＡデータおよび第１のより電力の小さいＮＯＭＡデータが、共有される周波数および時間資源要素を使用し、第２のより電力の大きいＮＯＭＡデータおよび第２のより電力の小さいＮＯＭＡデータが、共有される周波数および時間資源要素を使用する、そのようなＵＥのさらなる実施態様がさらに構成されてもよい。
【００５７】
第２のより電力の小さいＮＯＭＡデータを処理することが、第２のより電力の大きいＮＯＭＡデータからの干渉を除去するための干渉除去プロセスを実施することを含む、そのようなＵＥのさらなる実施態様がさらに構成されてもよい。
【００５８】
干渉除去プロセスが、逐次干渉除去（ＳＩＣ）を含む、そのようなＵＥのさらなる実施態様がさらに構成されてもよい。
【００５９】
第１の電力比信号と関連付けられる第１の電力比が、０．５と１との間の比である、そのようなＵＥのさらなる実施態様がさらに構成されてもよい。
【００６０】
第２の電力比信号と関連付けられる第２の電力比が、０と０．５との間にある、そのようなＵＥのさらなる実施態様がさらに構成されてもよい。
【００６１】
第２のＮＯＭＡサブフレームが、第１のデータフレームの一部分として第１のＮＯＭＡサブフレームに直に後続する、そのようなＵＥのさらなる実施態様がさらに構成されてもよい。
【００６２】
そのようなＵＥのさらなる実施態様は、ＵＥによって、ｅＮＢから第３のサブフレームを受信するステップであって、第３のサブフレームは第５のＤＣＩを含み、第５のＤＣＩは第５の電力比信号を含む、受信するステップと、ＵＥによって、第５の電力比信号に応答して、第３のサブフレームの第３のデータセットを直交多元接続サブフレームとして処理するステップとを行うようにさらに構成されてもよく、第３のサブフレームは、第１のデータフレームの一部分である。
【００６３】
第５の電力比が１に等しい、そのようなＵＥのさらなる実施態様がさらに構成されてもよい。
【００６４】
そのようなＵＥのさらなる実施態様は、第１のＤＣＩ通信を受信する前に、ｅＮＢから無線資源制御（ＲＲＣ）通信を受信するようにさらに構成されてもよく、ＲＲＣ通信は、初期ＵＥ状態をＮＯＭＡ状態または直交多元接続状態として指示する。
【００６５】
ＵＥが、第１のＮＯＭＡサブフレームを受信するように構成されているアンテナと、アンテナに結合されており、アンテナから第１のＮＯＭＡサブフレームを受信し、第１のＤＣＩに応答して第１のデータを第１のより電力の大きいＮＯＭＡデータとして処理するように構成されている集積回路とを備える、そのようなＵＥのさらなる実施態様がさらに構成されてもよい。代替の実施形態において、任意のＵＥは、後述するＵＥ５００の詳細、もしくは、本明細書において説明されているＵＥの任意の他のそのような実施態様を使用して、または、本明細書において説明されている要素の組み合わせを使用して実装されてもよい。
【００６６】
動的ＮＯＭＡ通信の別の例示的な実施形態は、第１のユーザ機器（ＵＥ）において、進化型ユニバーサル移動体通信システム地上無線アクセスノードＢ（ｅＮＢ）から第１のサブフレームを受信するステップであって、第１のサブフレームは第１のＵＥに向けられている第１のダウンリンク制御指示子（ＤＣＩ）、第２のＵＥに向けられている第３のＤＣＩ、第１のＤＣＩと関連付けられる第１のデータ、および、第２のＤＣＩと関連付けられる第３のデータを含み、第１のＤＣＩは、第１の非直交多元接続（ＮＯＭＡ）信号指示子を含む、受信するステップと、第１のＮＯＭＡ信号指示子に応答して、第１のデータを第１のより電力の大きいＮＯＭＡデータとして処理するステップと、ＵＥにおいて、ｅＮＢから第２のサブフレームを受信するステップであって、第２のサブフレームは、第１のＵＥと関連付けられる第２のＤＣＩ、第２のＵＥと関連付けられる第４のＤＣＩ、第２のＤＣＩと関連付けられる第２のデータ、および、第４のＤＣＩと関連付けられる第４のデータを含み、第２のＤＣＩは第２のＮＯＭＡ信号指示子を含む、受信するステップと、ＵＥによって、第２のＮＯＭＡ信号指示子に応答して、第２のデータを第２のより電力の小さいＮＯＭＡサブフレームとして処理するステップとを含む、無線通信のための方法であり、第１のサブフレームおよび第２のサブフレームはＵＥによって、第１のデータフレームの一部分として受信される。
【００６７】
特定の実施形態において、ＮＯＭＡ信号指示子が８ビットの第１のＤＣＩを含み、ＮＯＭＡ信号指示子の各値状態が電力比を表しており、各電力比が、０および０．５の値を除外し、値１を含んでいる、０と１との間の値を含む、そのような方法がさらに動作してもよい。
【００６８】
別の例示的な実施形態は、プロセッサによって実行されると、ユーザ機器（ＵＥ）に、無線資源制御（ＲＲＣ）シグナリングを受信するステップと、第１のダウンリンク制御指示子（ＤＣＩ）および第３のＤＣＩを含む第１のサブフレームを受信するステップであって、第１のＤＣＩは前記ＵＥに向けられており、第３のＤＣＩは第２のＵＥに向けられており、第１のＤＣＩは第１の電力比信号を含む、受信するステップと、第１の電力比信号に応答して第１のサブフレームの第１のデータを第１のより電力の大きい非直交多元接続（ＮＯＭＡ）データとして処理するステップと、ｅＮＢから、第２のＤＣＩおよび第４のＤＣＩを含む第２のサブフレームを受信するステップであって、第２のＤＣＩは第２の電力比信号を含む、受信するステップと、第２の電力比信号に応答して、第２のサブフレームの第１のデータを第２のより電力の小さいＮＯＭＡデータとして処理するステップとを実行させるコンピュータ可読命令を含む非一時的コンピュータ可読媒体である。
【００６９】
そのような媒体のさらなる例は、第１の電力比信号が２ビットのＤＣＩを含み、ＤＣＩと関連付けられるＤＣＩフォーマットの第１の電力比状態が直交周波数分割多元接続（ＯＦＤＭＡ）送信にマッピングされており、ＤＣＩフォーマットの第２の電力比状態が、ＲＲＣシグナリングによって決定される第１の詳細な電力比値を有する、０と０．５との間の電力比値にマッピングされ、ＤＣＩフォーマットの第３の電力比状態が、ＲＲＣシグナリングによって決定される第２の詳細な電力比値を有する、０．５と１との間の電力比値にマッピングされる実施態様を含んでもよい。
【００７０】
本明細書において説明されているｅＮＢの様々な実施態様において、第１のＵＥは、ｅＮＢから第１のＵＥまでの第１の距離、および、ｅＮＢから第２のＵＥまでの第２の距離に基づいて、より電力の大きいＮＯＭＡ通信を受信するように選択される。
【００７１】
他の実施態様において、本明細書において説明されているｅＮＢは、第１の無線信号の送信後に、第１の直交周波数分割多元接続（ＯＦＤＭＡ）データを受信するために第１のＵＥを選択し、第１の無線信号の送信後に、第２のより電力の大きい非直交多元接続（ＮＯＭＡ）データを受信するために第２のＵＥを選択し、第２のより電力の小さいＮＯＭＡデータを受信するために第１のＵＥおよび第２のＵＥと異なる第３のＵＥを選択し、第１のＯＦＤＭＡサブフレームを受信するための第１のＵＥの選択に応答して、第３のＤＣＩおよび第１のＯＦＤＭＡデータを含む第３のサブフレームを第１のＵＥに通信し、第４のサブフレームを第２のＵＥおよび第３のＵＥに通信するように構成されることができる。そのような第４のサブフレームは、第３の電力比を含む第４のＤＣＩと、第４の電力比を含む第５のＤＣＩと、第４のＤＣＩと関連付けられる第２のより電力の大きいデータと、第５のＤＣＩと関連付けられる第２のより電力の小さいデータとを含むことができる。
【００７２】
図５は、ＵＥ５００の一例を示す。ＵＥ５００は、ＵＥ１１０およびＵＥ１１５を含む、本明細書において説明されている任意のＵＥの一実施態様として使用されることができる。ＵＥ５００はまた、任意のモバイルデバイス、移動局（ＭＳ）、モバイル・無線・デバイス、移動通信デバイス、タブレット、ハンドセット、または、他のタイプのモバイル・無線・コンピューティング・デバイスであってもよい。ＵＥ５００は、ホットスポット、基地局（ＢＳ）、ｅＮＢ、または他のタイプのＷＬＡＮもしくはＷＷＡＮアクセスポイントと通信するように構成されている、ハウジング５０２内の１つまたは複数のアンテナ５０８を含むことができる。したがって、ＵＥは、上述したような非対称ＲＡＮの一部分として実装されるｅＮＢまたは基地局送受信機を介してインターネットのようなＷＡＮと通信することができる。ＵＥ５００は、３ＧＰＰ  ＬＴＥ、ＷｉＭＡＸ、高速パケットアクセス（ＨＳＰＡ）、Ｂｌｕｅｔｏｏｔｈ（登録商標）、およびＷｉ−Ｆｉ規格の定義から選択される規格を含む、複数の無線通信規格を使用して通信するように構成されることができる。ＵＥ５００は、無線通信規格ごとに別個のアンテナを使用して、または、複数の無線通信規格に対して共有アンテナを使用して通信することができる。ＵＥ５００は、ＷＬＡＮ、ＷＰＡＮ、および／またはＷＷＡＮにおいて通信することができる。
【００７３】
図５はまた、ＵＥ５００からのオーディオ入力および出力に使用することができるマイクロホン５２０および１つまたは複数のスピーカ５１２をも示す。表示スクリーン５０４は、液晶ディスプレイ（ＬＣＤ）スクリーン、または、有機発光ダイオード（ＯＬＥＤ）ディスプレイのような他のタイプの表示スクリーンであってもよい。表示スクリーン５０４は、タッチスクリーンとして構成されてもよい。タッチスクリーンは、容量性、抵抗性、または別のタイプのタッチスクリーン技術を使用してもよい。アプリケーションプロセッサ５１４およびグラフィックスプロセッサ５１８は、処理機能および表示機能をもたらすために内部メモリ５１６に結合することができる。ユーザにデータ入出力オプションを提供するために、不揮発性メモリポート５１０を使用することもできる。ＵＥ５００のメモリ機能を拡張するために、不揮発性メモリポート５１０を使用することもできる。さらなるユーザ入力を可能にするために、キーボード５０６がＵＥ５００と一体化されてもよく、または、ＵＥ５００に無線接続されてもよい。タッチスクリーンを使用して仮想キーボードを設けることもできる。ＵＥ５００の前（表示スクリーン）面または背面に配置されるカメラ５２２も、ＵＥ５００のハウジング５０２に一体化することができる。任意のそのような要素は、非対称Ｃ−ＲＡＮを介してアップリンクデータとして通信されることができる情報を生成し、本明細書において説明されているように非対称Ｃ−ＲＡＮを介してダウンリンクデータとして通信されることができる情報を受信するために使用されることができる。
【００７４】
図６は、本明細書において論じられている方法のいずれか１つまたは複数を実行することができる例示的なコンピュータ・システム・マシン６００を示すブロック図である。コンピュータ・システム・マシン６００またはコンピュータ・システム・マシン６００の要素は、ＵＥ５００、ｅＮＢ１３０、ＵＥ１１０、ＵＥ１１５、または、本明細書において説明もしくは参照されている任意の他のコンピューティングプラットフォームもしくは要素として具現化することができる。様々な代替的実施形態において、マシンは独立したデバイスとして動作し、または、他のマシンに接続（たとえば、ネットワーク接続）することができる。ネットワーク接続展開において、マシンは、サーバ−クライアントネットワーク環境内のサーバまたはクライアントのいずれかの容量内で動作してもよく、または、ピアツーピア（もしくは分散）ネットワーク環境内のピアマシンとして動作してもよい。マシンは、携帯可能であってもよくもしくはそうでなくてもよいパーソナルコンピュータ（ＰＣ）（たとえば、ノートブックまたはネットブック）、タブレット、セット・トップ・ボックス（ＳＴＢ）、ゲーミングコンソール、個人情報端末（ＰＤＡ）、携帯電話もしくはスマートフォン、ウェブアプライアンス、ネットワークルータ、スイッチもしくはブリッジ、または、そのマシンによって行われる動作を指定する命令（逐次もしくはその他）を実行することが可能な任意のマシンであってもよい。さらに、単一のマシンのみが示されているが、「マシン」という用語は、本明細書において論述されている方法のいずれか１つまたは複数を実施するために命令のセット（または複数のセット）を個々にまたは共同で実行するマシンの任意の集合を含むようにも解釈されるべきである。
【００７５】
例示的なコンピュータ・システム・マシン６００は、インターコネクト６０８（たとえば、リンク、バスなど）を介して互いと通信するプロセッサ６０２（たとえば、中央処理装置（ＣＰＵ）、グラフィックス処理装置（ＧＰＵ）または両方）と、メインメモリ６０４と、スタティックメモリ６０６とを含む。コンピュータ・システム・マシン６００は、ビデオディスプレイ装置６１０と、英数字入力デバイス６１２（たとえば、キーボード）と、ユーザインタフェース（ＵＩ）ナビゲーションデバイス６１４（たとえば、マウス）とをさらに含むことができる。一実施形態において、ビデオディスプレイ装置６１０、入力デバイス６１２およびＵＩナビゲーションデバイス６１４は、タッチスクリーンディスプレイである。コンピュータ・システム・マシン６００は、記憶デバイス６１６（たとえば、ドライブユニット）と、信号生成デバイス６１８（たとえば、スピーカ）と、出力コントローラ６３２と、電力管理コントローラ６３４と、ネットワークインタフェースデバイス６２０（１つまたは複数のアンテナ６３０、送受信機、または他の無線通信ハードウェアを含むかまたはそれらと動作可能に通信することができる）と、全地球測位システム（ＧＰＳ）センサ、コンパス、位置センサ、加速度計、または他のセンサのような１つまたは複数のセンサ６２８とをさらに含むことができる。
【００７６】
記憶デバイス６１６は、本明細書において説明されている方法または機能のいずれか１つまたは複数を具現化するかまたはそれによって利用されるデータ構造および命令６２４（たとえば、ソフトウェア）の１つまたは複数のセットを記憶されている機械可読媒体６２２を含む。命令６２４は、同様に、コンピュータ・システム・マシン６００によるその実行中に、完全にまたは少なくとも部分的に、メインメモリ６０４、スタティックメモリ６０６内、および／またはプロセッサ６０２内に存在することができ、メインメモリ６０４、スタティックメモリ６０６、およびプロセッサ６０２は、同様に、機械可読媒体を構成する。
【００７７】
機械可読媒体６２２は、例示的な実施形態において単一の媒体であるとして示されているが、「機械可読媒体」という用語は、１つまたは複数の命令６２４を記憶する単一の媒体または複数の媒体（たとえば、集中もしくは分散データベース、および／または関連するキャッシュおよびサーバ）を含むことができる。「機械可読媒体」という用語は、同様に、マシンによって実行するための命令を記憶、符号化もしくは搬送することが可能であり、マシンに、本開示の方法のいずれか１つもしくは複数を実施させ、または、そのような命令によって利用されるか、もしくはそのような命令と関連付けられるデータ構造を記憶、符号化もしくは搬送することができる任意の有形媒体を含むように解釈されるべきである。
【００７８】
命令６２４はさらに、いくつかの既知の転送プロトコル（たとえば、ＨＴＴＰ）のうちのいずれか１つを利用するネットワーク・インタフェース・デバイス６２０によって伝送媒体を使用して通信ネットワーク６２６を介して送信または受信することができる。「伝送媒体」という用語は、機械によって実行するための命令を記憶、符号化、または搬送することが可能である任意の無形媒体を含むように解釈されるべきであり、そのようなソフトウェアの通信を促進するためのデジタルまたはアナログ通信信号または他の無形媒体を含む。
【００７９】
様々な技法、またはその特定の態様もしくは部分は、フロッピー（登録商標）ディスケット、ＣＤ−ＲＯＭ、ハードドライブ、非一時的コンピュータ可読記憶媒体、または任意の他の機械可読記憶媒体のような有形媒体内で具現化されるプログラムコード（すなわち、命令）の形態をとることができ、プログラムコードがコンピュータのようなマシンにロードされ、マシンによって実行されると、マシンは、様々な技法を実践するための装置になる。プログラム可能コンピュータ上でプログラムコードを実行する場合、コンピューティングデバイスは、プロセッサと、プロセッサによって読み取り可能な記憶媒体（揮発性および不揮発性メモリならびに／または記憶要素を含む）と、少なくとも１つの入力デバイスと、少なくとも１つの出力デバイスとを含んでもよい。揮発性および不揮発性メモリならびに／または記憶要素は、ＲＡＭ、ＥＰＲＯＭ、フラッシュドライブ、光学ドライブ、磁気ハードドライブ、または電子データを記憶するための他の媒体であってもよい。基地局および移動局はまた、送受信機モジュール、カウンタモジュール、処理モジュール、および／またはクロックモジュールもしくはタイマモジュールをも含んでもよい。本明細書において説明されている様々な技法を実施または利用することができる１つまたは複数のプログラムは、アプリケーション・プログラミング・インタフェース（ＡＰＩ）、再利用可能制御装置などを使用してもよい。そのようなプログラムは、コンピュータシステムと通信するために、高レベル手続き型言語またはオブジェクト指向プログラミング言語で実装されてもよい。しかしながら、（複数の）プログラムは、所望に応じて、アセンブリ言語または機械語で実装されてもよい。いずれにせよ、言語はコンパイルまたは解釈される言語であってもよく、そしてハードウェア実施態様と組み合わされてもよい。
【００８０】
無線ネットワーク接続の先行する例は、３ＧＰＰ  ＬＴＥ／ＬＴＥ−Ａ、ＩＥＥＥ８０２．１１、およびＢｌｕｅｔｏｏｔｈ（登録商標）通信規格を特に参照して与えられているが、本明細書において説明されている技法に関連して様々な他のＷＷＡＮ、ＷＬＡＮ、およびＷＰＡＮプロトコルおよび規格を使用することができることが理解されよう。これらの規格は、限定ではないが、３ＧＰＰからの他の規格（たとえば、ＨＳＰＡ＋、ＵＭＴＳ）、ＩＥＥＥ８０２．１６（たとえば、８０２．１６ｐ）またはＢｌｕｅｔｏｏｔｈ（登録商標）（たとえば、Ｂｌｕｅｔｏｏｔｈ（登録商標）４．０、またはＢｌｕｅｔｏｏｔｈ（登録商標）  Ｓｐｅｃｉａｌ  Ｉｎｔｅｒｅｓｔ  Ｇｒｏｕｐによって定義されている同様の規格）規格ファミリを含む。他の適用可能なネットワーク構成が、本明細書において説明されている通信ネットワークの範囲内に含まれ得る。そのような通信ネットワーク上での通信は、有線または無線伝送媒体の任意の組み合わせを使用して、任意の数のパーソナルエリアネットワーク、ＬＡＮ、およびＷＡＮを使用して促進されることができる。
【００８１】
上述した実施形態は、ハードウェア、ファームウェア、およびソフトウェアのうちの１つまたは組み合わせにおいて実装されてもよい。様々な方法もしくは技法、または、その特定の態様もしくは部分は、フラッシュメモリ、ハードドライブ、携帯可能記憶デバイス、読み出し専用メモリ（ＲＯＭ）、ランダムアクセスメモリ（ＲＡＭ）、半導体メモリデバイス（たとえば、電気的プログラム可能読み出し専用メモリ（ＥＰＲＯＭ）、電気的消去可能プログラマブル読み出し専用メモリ（ＥＥＰＲＯＭ））、磁気ディスク記憶媒体、光学記憶媒体、および、任意の他の機械可読記憶媒体または記憶デバイスのような、有形媒体内で具現化されるプログラムコード（すなわち、命令）の形態をとることができ、プログラムコードがコンピュータまたはネットワーキングデバイスのようなマシンにロードされ、マシンによって実行されると、マシンは、様々な技法を実践するための装置になる。
【００８２】
機械可読記憶媒体または他の記憶デバイスは、マシン（たとえば、コンピュータ）によって読み取り可能な形態で情報を記憶するための任意の非一時的メカニズムを含むことができる。プログラム可能コンピュータ上でプログラムコードを実行する場合、コンピューティングデバイスは、プロセッサと、プロセッサによって読み取り可能な記憶媒体（揮発性および不揮発性メモリならびに／または記憶要素を含む）と、少なくとも１つの入力デバイスと、少なくとも１つの出力デバイスとを含むことができる。本明細書において説明されている様々な技法を実施または利用することができる１つまたは複数のプログラムは、アプリケーションプログラミングインタフェース（ＡＰＩ）、再利用可能制御装置などを使用することができる。そのようなプログラムは、コンピュータシステムと通信するために、高レベル手続き型言語またはオブジェクト指向プログラミング言語で実装されることができる。しかしながら、（複数の）プログラムは、所望に応じて、アセンブリ言語または機械語で実装されることができる。いずれにせよ、言語はコンパイルまたは解釈される言語であることができ、そしてハードウェア実施態様と組み合わされることができる。
【００８３】
本明細書において説明されている機能ユニットまたは機能は、それらの実施態様の独立性をより特定的に強調するために、コンポーネントまたはモジュールとして参照またはラベリングされている場合がある、ということが理解されるべきである。たとえば、コンポーネントまたはモジュールは、カスタム超大規模集積回路（ＶＬＳＩ）またはゲートアレイ、ロジックチップ、トランジスタ、もしくは他の個別コンポーネントのような容易に入手可能な半導体を含むハードウェア回路として実装されることができる。コンポーネントまたはモジュールはまた、フィールドプログラマブルゲートアレイ、プログラム可能アレイロジック、プログラム可能ロジックデバイスなどのような、プログラム可能ハードウェアデバイスにおいて実装されることもできる。コンポーネントまたはモジュールはまた、様々なタイプのプロセッサによって実行するためのソフトウェアにおいて実装されることもできる。実行可能コードの特定されているコンポーネントまたはモジュールは、たとえば、例としてオブジェクト、手続き、または関数として体系化されることができる、コンピュータ命令の１つまたは複数の物理または論理ブロックを含むことができる。それにもかかわらず、特定されているコンポーネントまたはモジュールの実行可能ファイルは物理的に一緒に配置される必要はないが、一緒に論理的に結合されたときに、当該コンポーネントまたはモジュールを含み、コンポーネントまたはモジュールの記述されている目的を達成する、異なる場所に記憶されている離隔した命令を含むことができる。
【００８４】
事実、実行可能コードのコンポーネントまたはモジュールは、単一の命令または多くの命令とすることができ、さらには、いくつかの異なるコードセグメントにわたって、複数の異なるプログラムの間で、また、いくつかのメモリデバイスにわたって分散させることさえできる。同様に、動作データは、本明細書においてはコンポーネントまたはモジュール内で識別および例示されることができ、任意の適切な形態で具現化されるとともに、任意の適切なタイプのデータ構造内に体系化されることができる。動作データは、単一のデータセットとしてまとめられることができ、または、複数の異なる記憶デバイスを含む複数の異なる箇所にわたって分散されることができ、少なくとも部分的に、システムまたはネットワーク上の電子信号としてのみ存在することができる。コンポーネントまたはモジュールは、所望の機能を実施するように動作可能なエージェントを含め、受動的または能動的なものとすることができる。
【００８５】
本明細書において説明されている方法、システム、およびデバイス実施形態のさらなる例は、添付の非限定的な構成を含む。添付の非限定例の各々は、自立することができ、または、添付においてまたは本開示全体を通じて与えられている他の例のうちのいずれか１つまたは複数との任意の置換または組み合わせにおいて組み合わせることができる。
【図１】
2018107832.tif 000011
【図２】
2018107832.tif 000012
【図３】
2018107832.tif 000013
【図４】
2018107832.tif 000014
【図５】
2018107832.tif 000015
【図６】
2018107832.tif 000016
【外国語明細書】
2018107832000001.pdf